(57)【要約】【課題】隣り合う２本のランプを保持するランプクリップの種類を低減させることができる光源装置を提供する。【解決手段】ランプ２１〜２８が、この順にピッチが増加するように略平行に並置されるシャーシ１１上に、隣り合う２本のランプ２１，２２又はランプ２３，２４を保持する保持部３１２，３１２を有するランプクリップ３１と、ランプ２５，２６又はランプ２７，２８を保持する保持部３２２，３２２を有するランプクリップ３２とを２個ずつ配する。保持部３１２，３１２（３２２，３２２）間の距離はランプ２２，２３（２６，２７）間のピッチに略等しいため、ランプ２１，２２（２５，２６）は互いに離隔する方向に撓み、ランプ２３，２４（２７，２８）は互いに接近する方向に撓んでランプクリップ３１（３２）に保持される。つまり、４種類でなく２種類のランプクリップ３１，３２で８本のランプ２１〜２８が保持できる。【選択図】図４
2008034357.tif 000002
【特許請求の範囲】
【請求項１】
４本以上の杆状のランプを、ピッチを異ならせて互いに略平行に、前記ランプが取り付けられる取付板の上に並置してなり、
隣り合う２本のランプの中央部を保持する２個の保持部を有するランプクリップを複数備える光源装置において、
２本のランプを保持する第１のランプクリップが有する２個の保持部の離隔距離と、前記２本のランプに隣り合う２本のランプを保持する第２のランプクリップが有する２個の保持部の離隔距離とが略等しいことを特徴とする光源装置。
【請求項２】
前記２個の保持部の離隔距離は、
前記第１のランプクリップが保持する２本のランプのピッチと、前記第２のランプクリップが保持する２本のランプのピッチとの中間的な距離であることを特徴とする請求項１に記載の光源装置。
【請求項３】
６本以上のランプを並置してなり、
前記第１又は第２のランプクリップが保持する２本のランプに隣り合うランプを保持する第３のランプクリップが有する２個の保持部の離隔距離は、前記第１又は第２のランプクリップが有する２個の保持部の離隔距離とは異なることを特徴とする請求項１又は２に記載の光源装置。
【発明の詳細な説明】
【技術分野】
【０００１】
本発明は、ランプを保持するランプクリップを備える光源装置に関する。
【背景技術】
【０００２】
液晶表示装置は、液晶表示パネルと、シャーシ上に、夫々両端部を保持された複数本の杆状のランプを略平行に並置してある光源装置とを積層してなる。ここで、ランプの両端部は、例えば光源装置の両側部に配されたランプホルダによって固定される。
近年、液晶表示装置の大型化に伴い、光源装置のランプの本数が増加し、各ランプが長くなり、また細くなる傾向がある。
【０００３】
ランプの本数増加に関し、光源装置の輝度ムラを抑制しつつ所要の輝度を維持してランプの本数を削減するために、ランプ並置方向中央部近傍ではランプを密に配置し、ランプ並置方向両端部近傍ではランプを疎に配置する光源装置が提案されている（特許文献１参照）。
この光源装置においては、複数本のランプは、並置方向中央部から並置方向両端部へ向けてピッチが順に増加するように並置される。このため、液晶表示パネルの画面の中央部における輝度が最も高くなり、画面の両端部へ向かうに従って輝度が徐々に低下する。このようにしてランプの本数を減少させることによって、低消費電力、小型化、薄型化及び軽量化が達成される。
【０００４】
一方、ランプの細長化に関し、細長化したランプを確実に保持して光源装置の性能、品質等を維持するために、ランプの両端部を保持するランプホルダだけでなく、ランプの中央部を少なくとも１点又は２点で保持するランプクリップを備える光源装置が提案されている（特許文献２参照）。
【０００５】
さて、１本のランプを保持する１個の保持部を有するランプクリップを用いてランプを１本ずつ保持する場合、ランプクリップの個数が増加し、ランプクリップを用いてランプを保持するための作業工数が増加するという問題がある。
【０００６】
この問題を解決するために、特許文献２においては、隣り合う複数本のランプを夫々保持する複数個の保持部を一体に有するランプクリップが開示されている。
このようなランプクリップを用いる場合、隣り合うランプを複数本ずつ同時的に保持することが可能であるため、ランプクリップの個数及びランプクリップに係る工数を減少させることができる。具体的には、例えば４本のランプが並置されている場合、隣り合う２本のランプを夫々保持する２個の保持部を一体に有するランプクリップを２個準備し、ランプの保持作業を２回行なえばよい。
【０００７】
特に、特許文献２に開示されているランプクリップは、一部に開口部を有する欠円状把持形状を成し、可撓性を有する透明部材で作られ、１管用や多管用を一体成型してあり、ランプを保護すると共に、ランプ配列の位置精度を確保し情報表示面での輝度ムラを防ぐと共に、透明材を使うことで、ランプホルダの影による情報表示面の輝度低下や輝度ムラへの影響を防ぐことができる。
【０００８】
ところで、特許文献１に開示されているようにピッチを異ならせて複数本のランプを並置し、特許文献２に開示されているランプクリップを用いてランプを保持する場合、１本のランプに１個のランプクリップを対応させて、全てのランプクリップを互い違いに配置する構成が考えられる。
しかしながら、このような構成ではランプクリップの個数が増加し、ランプクリップを用いてランプを保持するための作業工数が増加するという問題がある。
【０００９】
そこで、２本のランプに１個のランプクリップを対応させて、全てのランプクリップを互い違いに配置する構成が考えられる。
【特許文献１】特開平０６−７５２１６号公報
【特許文献２】特開２００１−２１０１２６号公報
【発明の開示】
【発明が解決しようとする課題】
【００１０】
しかしながら、ランプのピッチが一定でないため、多種類のピッチに対応して２個の保持部の離隔距離を異ならせた多種類のランプクリップを準備する必要があり、ランプクリップの種類が過剰に増加するという問題がある。
【００１１】
本発明は斯かる事情に鑑みてなされたものであり、その主たる目的は、隣り合う４本のランプを２本ずつ保持する２個のランプクリップが夫々有する２個の保持部の離隔距離が略等しいことにより、ランプクリップの種類を低減させることができる光源装置を提供することにある。
【００１２】
本発明の他の目的は、隣り合う４本のランプを２本ずつ保持する２個のランプクリップが夫々有する２個の保持部の離隔距離が、各ランプクリップが保持する２本のランプの離隔距離の中間的な距離であることにより、ランプに過負荷が生じることなくランプを保持することができる光源装置を提供することにある。
【００１３】
本発明の更に他の目的は、隣り合う４本のランプを２本ずつ保持する２個のランプクリップが夫々有する２個の保持部の離隔距離が異なることにより、ランプに過負荷が生じることなくランプを保持することができる光源装置を提供することにある。
【課題を解決するための手段】
【００１４】
本発明に係る光源装置は、４本以上の杆状のランプを、ピッチを異ならせて互いに略平行に、前記ランプが取り付けられる取付板の上に並置してなり、隣り合う２本のランプの中央部を保持する２個の保持部を有するランプクリップを複数備える光源装置において、２本のランプを保持する第１のランプクリップが有する２個の保持部の離隔距離と、前記２本のランプに隣り合う２本のランプを保持する第２のランプクリップが有する２個の保持部の離隔距離とが略等しいことを特徴とする。
【００１５】
本発明に係る光源装置は、前記２個の保持部の離隔距離は、前記第１のランプクリップが保持する２本のランプのピッチと、前記第２のランプクリップが保持する２本のランプのピッチとの中間的な距離であることを特徴とする。
【００１６】
本発明に係る光源装置は、６本以上のランプを並置してなり、前記第１又は第２のランプクリップが保持する２本のランプに隣り合うランプを保持する第３のランプクリップが有する２個の保持部の離隔距離は、前記第１又は第２のランプクリップが有する２個の保持部の離隔距離とは異なることを特徴とする。
【００１７】
本発明にあっては、第１のランプクリップが有する２個の保持部の離隔距離と、第２のランプクリップが有する２個の保持部の離隔距離とが略等しい。
ここで、本明細書では、離隔距離が略等しいとは、一方のランプクリップの保持部の離隔距離と他方のランプクリップの保持部の離隔距離との差が、後述するように湾曲するランプのランプクリップ取り付け位置における最大湾曲量よりも小さいことをいう。
【００１８】
例えば、第１〜第４の杆状のランプを、互いに略平行に、取付板上に並置する。第１のランプと第２のランプとのピッチ、第２のランプと第３のランプとのピッチ、及び第３のランプと第４のランプとのピッチは、例えば、この順に増加（減少）する。
第１のランプクリップは、２個の保持部で第１及び第２のランプの中央部を保持する。
第２のランプクリップは、２個の保持部で第３及び第４のランプの中央部を保持する。
【００１９】
第１のランプクリップが有する２個の保持部の離隔距離が、第１及び第２のランプのピッチに略等しい場合、第２のランプクリップが有する２個の保持部の離隔距離は、第３及び第４のランプのピッチよりも小さい（大きい）。
しかしながら、各ランプは杆状であるため、第３及び第４のランプは、互いに接近（離隔）する方向に容易に湾曲して、第２のランプクリップに保持される。
【００２０】
逆に、第２のランプクリップが有する２個の保持部の離隔距離が、第３及び第４のランプのピッチに略等しい場合、第１のランプクリップが有する２個の保持部の離隔距離は、第１及び第２のランプのピッチよりも大きい（小さい）。
しかしながら、各ランプは杆状であるため、第１及び第２のランプは、互いに離隔（接近）する方向に容易に湾曲して、第１のランプクリップに保持される。
【００２１】
本発明にあっては、第１及び第２のランプクリップ夫々の２個の保持部の離隔距離は、第１及び第２のランプのピッチと、第３及び第４のランプのピッチとの中間的な距離である（例えば、第２及び第３のランプのピッチに略等しい）。
つまり、第１（第２）のランプクリップの２個の保持部の離隔距離は、第１及び第２のランプのピッチとも第３及び第４のランプのピッチとも異なるが、このピッチに近似した距離である。
【００２２】
本発明にあっては、第３のランプクリップが有する２個の保持部の離隔距離は、第１（第２）のランプクリップが有する２個の保持部の離隔距離とは異なる。
【００２３】
例えば、第１〜第６の杆状のランプを、互いに略平行に、取付板上に並置する。第１及び第２のランプのピッチ、第２及び第３のランプのピッチ、第３及び第４のランプのピッチ、第４及び第５のランプのピッチ、並びに第５及び第６のランプのピッチは、例えば、この順に増加（減少）する。
【００２４】
第１（第２）のランプクリップは、２個の保持部で第１及び第２（第３及び第４）のランプの中央部を保持する。
第３のランプクリップは、２個の保持部で第５及び第６のランプの中央部を保持する。
【００２５】
第１及び第２のランプのピッチと、第５及び第６のランプのピッチとは、大きく異なる。
このため、第１及び第２のランプクリップ夫々が有する２個の保持部の離隔距離は、第１及び第２のランプのピッチと第３及び第４のランプのピッチとの両方に対して適切な離隔距離とされ、第３のランプクリップが有する２個の保持部の離隔距離は、第５及び第６のランプのピッチに対して適切な離隔距離とされる。
【発明の効果】
【００２６】
本発明の光源装置による場合、ランプクリップが有する２個の保持部の離隔距離と、隣り合う２本のランプのピッチとが異なるときでも、２個の保持部の離隔距離に応じて、杆状である２本のランプが互いに接近方向又は離隔方向に湾曲する。このため、隣り合う２本のランプを１個のランプクリップが有する２個の保持部で保持することができる。
つまり、２個の保持部の離隔距離と２本のランプのピッチとを一致させる必要がないため、ランプクリップの種類を低減させることができる。
【００２７】
本発明の光源装置による場合、ランプクリップが有する２個の保持部の離隔距離と、このランプクリップで保持する２本のランプのピッチとが近似している。
このため、ランプクリップの種類を低減させつつ、ランプクリップに保持されることによって湾曲したランプに過負荷が生じることを抑制することができる。
【００２８】
仮に、２個の保持部の離隔距離と２本のランプのピッチとが過剰に乖離している場合、ランプが撓み過ぎて、ランプに過負荷が生じ、ランプの歪曲又は破損、ランプの歪曲又は破損による光源装置の性能、品質の劣化等が生じることがある。
【００２９】
本発明の光源装置による場合、隣り合う第１〜第４のランプを２本ずつ保持する第１及び第２のランプクリップ夫々が有する２個の保持部の離隔距離は、第１及び第２のランプのピッチと第３及び第４のランプのピッチとの両方に対して適切な離隔距離とされ、第１のランプ又は第４のランプに隣り合う第５及び第６のランプを保持する第３のランプクリップが有する２個の保持部の離隔距離は、第５及び第６のランプのピッチに対して適切な離隔距離とされる。
このため、ランプクリップの種類を低減させつつ、ランプクリップに保持されることによって湾曲したランプに過負荷が生じることを抑制することができる。
【００３０】
仮に、第１〜第３のランプクリップが夫々有する２個の保持部の離隔距離が略等しい場合、この離隔距離と、第５及び第６のランプのピッチとが過剰に乖離することがある。このため、第３のランプクリップに保持されることによって第５及び第６のランプが撓み過ぎ、第５及び第６のランプに過負荷が生じることがある。
【発明を実施するための最良の形態】
【００３１】
以下、本発明を、その実施の形態を示す図面に基づいて詳述する。
【００３２】
図１は、本発明に係る光源装置１の略示縦断面図であり、光源装置１を備える液晶表示装置５の略示縦断面図でもある。
図２及び図３は、光源装置１が備えるランプクリップ３１の構成を示す側面図及び斜視図であり、図２は、ランプクリップ３１近傍の光源装置１の拡大略示縦断面図でもある。
図４は、光源装置１が備えるランプクリップ３１，３１，３２，３２の配置を示す模式図であり、光源装置１の上部正面図でもある。
【００３３】
光源装置１はバックライト装置として用いられ、図１に示すように、図示しない脚部を床に設置して縦置きされる液晶表示装置５に備えられ、矩形状の液晶表示パネル５１の背後に積層されている。
本実施の形態における光源装置１は、ランプ２１〜２８を含む複数のランプを備える。これらのランプの配置は、光源装置１の上下方向中央部を中心に上下対称であるため、以下では、光源装置１の上部側に配されているランプ２１〜２８に関して説明する。ここで、上下方向とは、図１〜図４中の上下方向であり、後述するようにシャーシ１１に取り付けられている状態（更に詳細には、シャーシ１１に取り付けられ、しかも後述するような湾曲が生じていない状態）のランプ２１〜２８の長手方向に垂直な方向である。
【００３４】
光源装置１は、ランプ２１〜２８が取り付けられる取付板としてのシャーシ１１を備える。シャーシ１１は、矩形皿状の金属部材の内面に、光を反射する図示しない反射シートを配するか、又は光を反射する塗料を塗布してなる。このため、シャーシ１１は、ランプ２１〜２８が放射する光を液晶表示パネル５１側へ反射する機能も有する。
【００３５】
以下では、シャーシ１１の反射シート（又は塗料）に関する記載は省略する。
例えば、シャーシ１１には、後述するように、シャーシ１１にランプクリップ３１，３２を取り付けるための係止孔が形成されているが、この係止孔はシャーシ１１のみならず、シャーシ１１上の反射シート（又は塗料）も貫通して形成される。
【００３６】
各ランプ２１〜２８は杆状であり、具体的には長尺小径（長さ数十ｃｍ以上、内径５ｍｍ以下）の円管状であって、互いに略同形状である。また、各ランプ２１〜２８は、長さ１２００ｍｍで最大約０．５ｍｍ湾曲することが可能な材質を有する軟質ガラス又は硬質ガラスを用いてなる。ただし、軟質ガラスを用いてなるランプ２１〜２８の方が、硬質ガラスを用いてなるランプ２１〜２８よりも、撓んだ際に破損し難い。なお、このような材質を有する材料であれば、軟質ガラス及び硬質ガラスに限定されるものではない。
【００３７】
図４に示すように、ランプ２１〜２８は、この順に、光源装置１の上下方向中央部から上端部へ、ピッチが増加するように互いに略平行に、並置される。本明細書中では、図４に示されるように配置されているランプ２１〜２８における隣り合うランプ２１〜２８端部の間隔（例えば２２．５〜２５．５ｍｍ）をピッチと特定するものである。
具体的には、光源装置１の上下方向中央部にランプ２１が配され、ランプ２１の上方に、２２．５ｍｍのピッチでランプ２２が配され、ランプ２２の上方に、２３．０ｍｍのピッチでランプ２３が配され、ランプ２３の上方に、２３．５ｍｍのピッチでランプ２４が配される。
【００３８】
同様にして、ランプ２４（２５，２６，２７）の上方に、２４．０（２４．５，２５．０，２５．５）ｍｍのピッチでのランプ２５（２６，２７，２８）が配される。
ただし、後述するようにランプ２１〜２８は夫々の中央部が僅かに湾曲した状態でシャーシ１１に取り付けられるため、ここでは、ランプ２１〜２８のピッチとは、ランプ２１〜２８の両端部の離隔距離に等しく、湾曲した状態のランプ２１〜２８同士の中央部の離隔距離を意味しない。図４には、湾曲した状態のランプ２１〜２８が実線で示してあり、ランプ２１〜２８夫々の両端部を結ぶ仮想的な直線が二点鎖線で示してある。
【００３９】
このように、上下方向中央部は密に、上下端部は疎にランプ２１〜２８を配することによって、液晶表示パネル５１の画面の上下方向中央部における輝度が最も高くなり、上下方向中央部から上下端部へ向かうに従って画面の輝度が徐々に低くなる。この場合、液晶表示パネル５１の輝度ムラを抑制しつつ十分な輝度が確保され、しかも、光源装置１を構成するランプの本数が減少する。
【００４０】
各ランプ２１〜２８は、各ランプ２１〜２８の両端部を、シャーシ１１に取り付けられている図示しないランプホルダによって保持される。
更に、ランプ２１，２２及びランプ２３，２４夫々の中央部は、少なくとも１個又は２個のランプクリップ３１によって保持される。同様に、ランプ２５，２６及びランプ２７，２８夫々の中央部は、少なくとも１個又は２個のランプクリップ３２によって保持される。図４には、ランプ２１〜２８の中央部１箇所を、計４個のランプクリップ３１，３１，３２，３２で保持してある状態が例示されている。つまり、ランプクリップ３１，３１，３２，３２が保持するランプ２１〜２８の中央部とは、厳密に各ランプ２１〜２８の半分の長さに相当する位置である必要はなく、少なくともランプ２１〜２８の両端部を除いた任意の位置であればよい。
【００４１】
ランプクリップ３１，３２は略同様の形状であるため、以下では主にランプクリップ３１の形状を説明する。
図１〜図４に示すように、ランプクリップ３１は、矩形平板状の基部３１１を備え、一部に開口部を有する欠円状把持形状の保持部３１２，３１２が基部３１１の一面（表面）に一体に突設してあり、係止部３１４，３１４が基部３１１の他面（裏面）に一体に突設してある。
【００４２】
このようなランプクリップ３１は、例えば無色透明のアクリル樹脂を用いて各部を一体成形してなる。ランプクリップ３１は無色透明であるため、ランプクリップ３１の影が液晶表示パネル５１の輝度を低下させることが抑制される。また、合成樹脂を用いた一体成形であるため容易に製造される。
【００４３】
各保持部３１２は、保持部３１２が可撓性を有するための適宜の厚みに形成されている。各保持部３１２の内部の寸法は、ランプ２１の外径より僅かに小さい。ランプ２１，２２は、保持部３１２，３１２の開口部から、保持部３１２，３１２の開口部の両側部を外側へ撓ませつつ保持部３１２，３１２内部へ押し入れられる。ランプ２１，２２の保持部３１２，３１２内部への挿入後、保持部３１２，３１２の開口部の両側部が弾性によってランプ２１，２２を挟持することによって、ランプ２１，２２は保持部３１２，３１２に把持される。
【００４４】
保持部３１２，３１２は、基部３１１の長手方向にＸｍｍ離隔して並置されている。ランプクリップ３１に関し、保持部３１２，３１２の離隔距離Ｘは２３．０ｍｍである。この距離は、ランプ２２，２３のピッチに略等しい。即ち、ランプ２１，２２のピッチ２２．５ｍｍとランプ２３，２４のピッチ２３．５ｍｍとの中間的な距離である。
【００４５】
ここで、図１及び図４に示すように、ランプクリップ３１と同様、ランプクリップ３２は、基部３１１に対応する基部３２１と、保持部３１２，３１２に対応する保持部３２２，３２２と、係止部３１４，３１４に対応する係止部とを備える。ただし、ランプクリップ３２に関し、保持部３２２，３２２の離隔距離Ｘは２５．０ｍｍである。この距離は、ランプ２６，２７のピッチに略等しい。即ち、ランプ２５，２６のピッチ２４．５ｍｍとランプ２７，２８のピッチ２５．５ｍｍとの中間的な距離である。
【００４６】
図２及び図３に示すように、係止部３１４，３１４は、基部３１１を中心に保持部３１２，３１２の略真裏に配されている矢符状であり、矢符の基端側が基部３１１に連続しており、矢符の先端側は、各係止部３１４の先端部が可撓性を有するための適宜の厚みに形成されている。
【００４７】
ランプクリップ３１は、係止部３１４，３１４が、シャーシ１１に形成されている図示しない係止孔にシャーシ１１の内側から外側へ挿入されることによって、シャーシ１１に取り付けられる。この場合、係止部３１４，３１４は、シャーシ１１の係止孔への挿入時に係止部３１４，３１４の先端部が撓んで小型化し、挿入完了後、係止部３１４，３１４の先端部が元の形状に戻ることによって、シャーシ１１に係止される。
【００４８】
ランプクリップ３１，３１，３２，３２を取り付けるべきシャーシ１１の係止孔は、ランプ２１〜２８の並置方向に互い違いに形成される。このため、ランプ２１，２２を保持するランプクリップ３１と、ランプ２３，２４を保持するランプクリップ３１と、ランプ２５，２６を保持するランプクリップ３２と、ランプ２７，２８を保持するランプクリップ３２とは、図４に示すように、互い違いに配置される。
【００４９】
次に、ランプクリップ３１，３１，３２，３２の配置について説明する。
一のランプクリップ３１は、ランプ２１，２２を保持する。他のランプクリップ３１は、ランプ２３，２４を保持する。
同様に、一（他）のランプクリップ３２は、ランプ２５，２６（２７，２８）を保持する。
【００５０】
ランプクリップ３１の保持部３１２，３１２の離隔距離Ｘは、ランプ２１，２２のピッチより０．５ｍｍ長い。このため、保持部３１２，３１２夫々にランプ２１，２２が保持されることによって、杆状のランプ２１，２２は、離隔方向に最大０．２５ｍｍずつ湾曲する。換言すれば、ランプ２１，２２が、離隔方向に湾曲することによって、ランプクリップ３１の保持部３１２，３１２に保持される。
【００５１】
一方、ランプクリップ３１の保持部３１２，３１２の離隔距離Ｘは、ランプ２３，２４のピッチより０．５ｍｍ短い。このため、ランプ２３，２４は、接近方向に最大０．２５ｍｍずつ湾曲することによって、保持部３１２，３１２に保持される。
【００５２】
保持部３１２，３１２の離隔距離Ｘは、ランプ２１，２２のピッチと、ランプ２３，２４のピッチとの中間的な距離であるため、ランプ２１，２２の湾曲量も、ランプ２３，２４の湾曲量も少量であり、湾曲したランプ２１〜２４に過負荷が生じること、過負荷によってランプ２１〜２４が破損することが抑制される。また、ランプ２１〜２４の湾曲が光源装置１の性能、品質等に与える悪影響は無視することができる。
【００５３】
同様に、ランプクリップ３２の保持部３２２，３２２の離隔距離Ｘよりピッチが０．５ｍｍ長い（短い）ランプ２５，２６（２７，２８）は、離隔（接近）方向に最大０．２５ｍｍずつ湾曲することによって、保持部３２２，３２２に保持される。
【００５４】
ランプクリップ３２の保持部３２２，３２２の離隔距離Ｘは、ランプクリップ３１の保持部３１２，３１２の離隔距離Ｘとは異なり、ランプ２５，２６のピッチと、ランプ２７，２８のピッチとの中間的な距離である。このため、ランプ２５，２６の湾曲量も、ランプ２７，２８の湾曲量も少量であり、湾曲したランプ２５〜２８に過負荷が生じること、過負荷によってランプ２５〜２８が破損することが抑制される。また、ランプ２５〜２８の湾曲が光源装置１の性能、品質等に与える悪影響は無視することができる。
【００５５】
以上のような光源装置１は、隣り合う２本のランプ２１，２２、ランプ２３，２４、ランプ２５，２６、及びランプ２７，２８を一組として、夫々１個のランプクリップ３１又はランプクリップ３２で保持する。
このため、光源装置１が備えるランプクリップ３１，３２の個数が、ランプ２１〜２８を１本毎に保持する場合（８個）よりも減少し、しかも、ランプ２１〜２８の保持作業の工数が減少する。
【００５６】
また、隣り合う２本のランプ２１，２２、ランプ２３，２４、ランプ２５，２６、及びランプ２７，２８を、２個の保持部の離隔距離が夫々２２．５ｍｍ、２３．５ｍｍ、２４．５ｍｍ、２５．５ｍｍである（即ち保持すべき２本のランプピッチと保持部の離隔距離とが略一致している）４個のランプクリップを用いる場合よりも、光源装置１が備えるランプクリップ３１，３２の個数が減少する。
【００５７】
つまり図４に例示されるように、徐々に異なった間隔で並置された４本のランプ２５〜２８のうち最大ピッチである２５．５ｍｍをなす２本のランプ２７，２８を保持するランプクリップ３２の保持部の間隔は、最大ピッチである２５．５ｍｍより小さい２５．０ｍｍに設計されている。一方、この４本のうち最小ピッチである２４．５ｍｍをなす２本のランプ２５，２６を保持するランプクリップ３２の保持部の間隔も２５．０ｍｍであり、最小ピッチである２４．５ｍｍよりも大きくなるよう設計されている。
このように、本発明の光源装置においては、複数本のランプが、異なるピッチで配置されたとしても、各ランプクリップの保持部の間隔を同一に構成することができ、ランプクリップの種類を極力増加させないで光源装置を生産することが可能である。
【００５８】
ところで、本発明の光源装置について単純に考えると、ランプが撓んだ状態で保持されることによる輝度ムラ現象の発生が懸念される。しかしながら、ランプクリップの保持部の間隔は、保持すべきランプの最大ピッチ及び最小ピッチの範囲内で構成されるため、この最大ピッチ及び最小ピッチで輝度ムラが生じない条件で光源装置が構成されるならば、ランプクリップが、隣り合うランプを、最大ピッチと最小ピッチとの中間の間隔で保持したとしても、ランプが撓んで保持されたことによる輝度ムラを発生させることはない。
なお、各部材の寸法、形状、ピッチ、材質、個数等に係る数値は、本実施の形態に記載の数値に限定されるものではない。
【図面の簡単な説明】
【００５９】
【図１】本発明に係る光源装置の略示縦断面図である。
【図２】本発明に係る光源装置が備えるランプクリップの構成を示す側面図である。
【図３】本発明に係る光源装置が備えるランプクリップの構成を示す斜視図である。
【図４】本発明に係る光源装置が備えるランプクリップの配置を示す模式図である。
【符号の説明】
【００６０】
１    光源装置
１１  シャーシ（取付板）
２１，２２，２３，２４，２５，２６，２７，２８  ランプ
３１，３２  ランプクリップ
３１２，３２２  保持部
【図１】
2008034357.tif 000003
【図２】
2008034357.tif 000004
【図３】
2008034357.tif 000005
【図４】
2008034357.tif 000006